(57)【特許請求の範囲】
【請求項１】
筺体内部に表示装置を収納し、該筺体の前面開口部を開閉自在に覆う前面扉に形成した開口窓より、表示装置のディスプレイ画面を筐体外部から視認可能とした表示装置収納用箱の施錠構造であって、
筐体の前面扉の他、背面扉あるいは側面板の少なくとも何れかを開閉自在とし、
該前面扉を施錠・開閉操作する施錠開錠手段を、筐体の内側に設け、
該施錠開錠手段が、ハンドルの操作により一対のロッド棒を動作させるハンドル装置と、ロッド棒の先端が係合して扉を固定するロッド棒受部とからなり、
前記の前面扉で覆われた筐体の前面開口部が、前面扉に対して垂直方向に立ち上げた立上辺と、立上辺の端部を前面扉に対して平行方向に折り返した折返辺とからなる水切部を備え、
前記ハンドル装置を、前記水切部と表示装置の間に配置した
ことを特徴とする表示装置収納用箱の施錠構造。
【請求項２】
ハンドル装置はクランプ部を有し、該クランプ部が係合して扉を固定するクランプ部受部を有することを特徴とする請求項１記載の表示装置収納用箱の施錠構造。
【請求項３】
該施錠開錠手段が、筐体本体の内側に設けたハンドル取付金具を介して配設されたハンドル装置と前面扉の裏面に設けたロッド棒受部、あるいは前面扉の裏面に設けたハンドル取付金具を介して配設されたハンドル装置と筐体本体の内側に設けたロッド棒受部の何れかからなることを特徴とする請求項１または請求項２記載の表示装置収納用箱の施錠構造。
【発明の詳細な説明】
【技術分野】
【０００１】
本発明は、表示装置収納用箱の施錠構造に関するものである。
【背景技術】
【０００２】
従来から、分電盤や配電盤などに使用される電気機器収納用箱の構造としては、四角枠状に組み立てたフレームの側面板の開口枠部に側板、扉等を取り付け、扉の開閉操作用のハンドルを、扉の外側に露出して取付形成した構造が広く一般的に採用されている（例えば、特許文献１）。
【０００３】
しかし、電気機器収納用箱が、近年急速に普及している電子看板等の表示装置として使用され、筺体の扉に電子広告を表示する表示部を備えている場合、表示部に隣接して配置されるハンドルの存在が美観上好ましくない問題があった。また、広告機能を奏し人目を引くことを目的とする表示部に隣接したハンドルも、不可避的に人目につくこととなるため、悪戯の対称となりやすいという問題もあった。
【０００４】
また、遠方からも視認可能なサイズの大型の表示部を設ける場合には、電気機器収納用箱も大型化する必要がある。筺体の大型化に伴い、例えば扉の上部および下部の２か所に施錠部を設け、複数の施錠部によって扉の施錠を行うことが想定されるが、複数か所に施錠部を設けた場合には、何れかの施錠部における施錠忘れ等の事故が生じやすくなる問題もあった。
【先行技術文献】
【特許文献】
【０００５】
【特許文献１】特開２００８−０６１８８４号公報
【発明の概要】
【発明が解決しようとする課題】
【０００６】
本発明の目的は前記問題を解決し、表示装置収納用箱の前面扉を開閉操作する機能を有するハンドルの存在によって扉の外観を損ねることなく、また、ハンドルへの悪戯を防止し、更に、扉の複数か所存在する施錠部のうち、何れかを施錠忘れする事故を効果的に回避することができる表示装置収納用箱の施錠構造を提供することである。
【課題を解決するための手段】
【０００７】
上記課題を解決するためになされた本発明の表示装置収納用箱の施錠構造は、筺体内部に表示装置を収納し、該筺体の前面開口部を開閉自在に覆う前面扉に形成した開口窓より、表示装置のディスプレイ画面を筐体外部から視認可能とした表示装置収納用箱の施錠構造であって、筐体の前面扉の他、背面扉あるいは側面板の少なくとも何れかを開閉自在とし、該前面扉を施錠・開閉操作する施錠開錠手段を、筐体の内側に設け、該施錠開錠手段が、ハンドルの操作により一対のロッド棒を動作させるハンドル装置と、ロッド棒の先端が係合して扉を固定するロッド棒受部とからなり、前記の前面扉で覆われた筐体の前面開口部が、前面扉に対して垂直方向に立ち上げた立上辺と、立上辺の端部を前面扉に対して平行方向に折り返した折返辺とからなる水切部を備え、前記ハンドル装置を、前記水切部と表示装置の間に配置したことを特徴とするものである。
【０００８】
請求項２記載の発明は、請求項１記載の表示装置収納用箱の施錠構造において、ハンドル装置はクランプ部を有し、該クランプ部が係合して扉を固定するクランプ部受部を有することを特徴とするものである。
【０００９】
請求項３記載の発明は、請求項１または請求項２記載の表示装置収納用箱の施錠構造において、該施錠開錠手段が、筐体本体の内側に設けたハンドル取付金具を介して配設されたハンドル装置と前面扉の裏面に設けたロッド棒受部、あるいは前面扉の裏面に設けたハンドル取付金具を介して配設されたハンドル装置と筐体本体の内側に設けたロッド棒受部の何れかからなることを特徴とするものである。
【００１０】
【発明の効果】
【００１１】
本発明に係る表示装置収納用箱は、背面扉あるいは側面板の少なくとも何れかを開閉可能な構造とすることにより、前面扉を開放することなく、筐体内部から施錠開錠手段の操作により、該前面扉を施錠・開閉操作することができる。したがって、本発明の構成によれば、前面扉を開閉操作する機能を有するハンドルの存在によって扉の外観が損なわれることがなく、また、ハンドルへの悪戯を効果的に回避することができる。更に、ハンドル装置を水切部と表示装置の間に配置することにより、筐体内のスペースを有効に活用することができ、幅狭の場所におけるハンドル操作性の向上もはかることができる。
【００１２】
また、本発明に係る表示装置収納用箱は、該施錠開錠手段を、ハンドルの操作により一対のロッド棒を動作させるハンドル装置と、ロッド棒の先端が係合して扉を固定するロッド棒受部とから構成することにより、一回のハンドル操作で、複数本のロッド棒を摺動させて複数か所での施錠を可能とし、扉の複数か所存在する施錠部のうち、何れかの施錠を忘れる事故を効果的に回避可能としている。
【図面の簡単な説明】
【００１３】
【図１】本実施形態の表示装置収納用箱の前面全体図である。
【図２】本実施形態の表示装置収納用箱の背面全体図である。
【図３】（ａ）図１の前面扉を開放した図である。（ｂ）（ａ）の別の角度からの図である。
【図４】図３のＡ部拡大図である。
【図５】図２の背面扉を開放した図である。
【図６】ハンドルの施錠機構説明図である。
【図７】図３のＢ部の上方向から見た断面図である。
【図８】図３のＢ部の上方向から見た断面図である（他の実施形態）。
【発明を実施するための形態】
【００１４】
以下に本発明の好ましい実施形態を示す。図１および図２において、１は前面扉、２は透明パネル、３は背面扉、４は冷却装置、５は外側ハンドル、６は筐体、８は基台を示している。
【００１５】
図１および図２に示すように、本実施形態の表示装置収納用箱は、基台８の上に筐体６本体を配置して構成され、筐体６は、前面扉１と背面扉３が開閉自在な構造を有している。
【００１６】
筐体６内部には、図３に示すように、液晶テレビ、ＰＤＰ（プラズマディスプレイパネル）などの表示装置７や分電盤や配電盤などの電気機器を備え、前面扉１に形成された開口窓により、該表示装置７のディスプレイ画面を筐体外部から視認可能となっている。該開口窓は、透明パネル２で覆われている。透明パネル２は、図７および図８に示すように、前面扉に形成された開口窓の周縁に、クランク状に形成したパネル保持部２１に挟み込んで保持されている。また、前面扉１と筐体６との当接面には、防水・防塵用のパッキン２２が配設され、筐体６内の気密性が確保されている。
【００１７】
表示装置７の下部には、図５に示すように、筐体１内部の空気の循環を促すクロスフローファン１０や、表示装置７に表示情報を提供するＣＰＵなどのハードが内蔵されている。
【００１８】
筐体６内部の左右側面板には、図５に示すように、複数の取付レール９が形成され、該取付レール９には、開閉器・ＬＡＮ・モデムなどの複数の機器取付部を取付ることができる。
【００１９】
本実施形態では、図５に示すように、左右の取付レール９間に渡して設けた表示装置取付金具１１によって、表示装置７を筐体６内に取り付けている。その他、取付レール９に設けたＬ字状のハンドル取付金具１２によって、ハンドル１３を筐体６内に取り付けている。
【００２０】
ハンドル１３の施錠機構は、図６に示すように、操作部２０によって操作されるクランプ部１６とロッド棒１５を備えている。ロッド棒１５の一方はクランプ部１６の先端に取り付け形成されており、操作部２０を開閉操作することによりクランプ部１６が回動し、それによりロッド棒１５が動作するように形成されている。また、ロッド棒１５の他方は操作部２０に連動して動作する開閉機構２３に取付されているものである。なお、図３に示すように、筐体６の上下位置には、ロッド棒案内部１９が形成されており、ロッド棒１５がそれぞれ上下動作するように形成されているものである。本発明では、ハンドル１３を筐体６内のハンドル取付金具１２に設けているため、ハンドル１３の存在によって前面扉１側の美観を損ねる問題や、ハンドルへの悪戯を効果的に回避することができる。本発明ではハンドル１３が筐体６の側位置に形成するものであるため、ロッド棒１５が上下動作するものであるが、前面扉１が上開きもしくは下開きの扉のようなハンドル１３が上下位置に形成する場合においては、ロッド棒１５は左右動作するように形成されるものである。
【００２１】
図５に示すように、ハンドル１３の操作部２０は、筐体６内で背面扉３に向けて配置されているため、ハンドル１３の操作を行って施錠あるいは解錠を行う際には、まず、背面扉３の外側に配置された外側ハンドル５を操作し、背面扉３を開放して筐体６内の操作部２０へとアクセスすればよい。
【００２２】
本実施形態では、図３、図５、図７に示すように、ハンドル１３が筐体６の内側に設けたハンドル取付金具１２を介して配設され、前面扉１の裏面にロッド棒１５の先端を受けるロッド棒受部１４が前面扉１の上下に設けられ、操作部２０の操作に伴なって、図６に示すように、クランプ部１６が回動し、これに連動してロッド棒１５が摺動し、ロッド棒受部１４とロッド棒の先端が係合することにより前面扉１の上下が固定される構造を有している。また、前面扉１の裏面のハンドル１３に対応する位置にクランプ部受部１７を形成しており、クランプ部１４が回動し、クランプ部１４がクランプ部受部１７に係合することにより前面扉１の中央が固定される構造を有している。ハンドル１３の裏側にも当該構成を採用することにより、一回の操作で上下・中央の３箇所を施錠することが可能となり、施錠忘れを効果的に回避することができる。更に、ハンドル１３を筐体６内のハンドル取付金具１２に設けているため、ハンドル１３の存在によって、前面扉１側の美観を損ねる問題や、ハンドル１３への悪戯を効果的に回避することができる。
【００２３】
他の実施形態として、図８に示すように、ハンドル１３が前面扉１の裏面に設けたコ字状のハンドル取付金具１２を介して配設され、ロッド棒受部１４が筐体６の内側に設けられる構造を採用することもできる。このような実施形態においては筐体６の取付レール９にＬ字状のロッド棒受部１４を取り付け、ハンドル１３を回動操作することによって、ロッド棒１５の先端が筐体６に取り付けたロッド棒受部１４に係合することにより扉の開放を防ぐものである。こちらの構造も同様に、ハンドル１３のクランプ部１４が係合するクランプ部受部１７も筐体６の取付レール９に形成されているものである。本実施形態においてもハンドル１３の存在によって前面扉１側の美観を損ねる問題や、ハンドル１３への悪戯を効果的に回避することができる。
【００２４】
前面扉１で覆われた筐体６の前面開口部には、前面扉１に対して垂直方向に立ち上げた立上辺１８ａと、立上辺１８ａの端部を前面扉に対して平行方向に折り返した折返辺１８ｂとからなる水切部１８が形成されている。図７または図８に示すように、ハンドル１３は、水切部１８と表示装置７の間に配置されている。このような構造を採用することにより、筐体６内の幅狭のスペースであっても、操作部２０を前後方向にスムーズに動作することができる。なお、横幅に余裕がある場合には、操作する際に操作部２０を前方に突出させ回転させて施錠を行う平面ハンドルを使用しても良い。
【００２５】
なお、ハンドル１３の施錠操作時には、前面扉１が閉じていることが必要であり、ハンドル１３の施錠操作時に、作業者が前面扉１の表側から手で押さえながら作業をおこなってもよく、その他の形態として、前面扉１の内側に取っ手を形成して、作業者が取っ手を引きながらハンドル１３の施錠操作をする形態や、ラッチなどを形成して前面扉１を閉じると自動的にその状態を保持することができる仮固定装置を使用する形態を採用することもできる。
【符号の説明】
【００２６】
１  前面扉
２  透明パネル
３  背面扉
４  冷却装置
５  外側ハンドル
６  筐体
７  表示装置
８  基台
９  取付レール
１０  クロスフローファン
１１  表示装置取付金具
１２  ハンドル取付金具
１３  ハンドル
１４  ロッド棒受部
１５  ロッド棒
１６  クランプ部
１７  クランプ部受部
１８  水切部
１９  ロッド棒案内部
２０  操作部
２１  パネル保持部
２２  パッキン
２３  開閉機構
【図１】
0005651841.tif 000002
【図４】
0005651841.tif 000003
【図６】
0005651841.tif 000004
【図２】
0005651841.tif 000005
【図３】
0005651841.tif 000006
【図５】
0005651841.tif 000007
【図７】
0005651841.tif 000008
【図８】
0005651841.tif 000009